(57)【要約】【課題】  特色記録剤を用いて印刷を行う場合、下地の状態によって印刷の仕上がりが変化する場合があるため、単に所定の色で特色記録剤を付加する領域を表示するだけのプレビューでは、ユーザは印刷の仕上がりを確認することが困難である。【解決手段】  本発明における画像処理装置は、出力対象の画像データにて特色記録剤を用いて印刷を行う領域を指定し、この領域に特色記録剤を用いた印刷を行った場合と、特色記録剤を用いずに印刷を行った場合の反射率を比較する。特色記録剤を用いて印刷を行わない場合と比較して、特色記録剤を用いて印刷を行った場合の反射率の方が大きい場合は第１の表示形態、特色記録剤を用いて印刷を行わない場合と比較して、特色記録剤を用いて印刷を行った場合の反射率の方が小さい場合は第２の表示形態を用いることを決定し、決定された表示形態により指定された領域を表示することを特徴とする。【選択図】  図６
2012073605.tif 000002
【特許請求の範囲】
【請求項１】
出力対象の画像データにおいて特色記録剤を用いて印刷を行う領域を指定する指定手段と、前記指定手段により指定された領域に対して、前記特色記録剤を用いた印刷を行った場合の反射率と、前記特色記録剤を用いずに印刷を行った場合の反射率を比較し、該比較により求められる反射率の差分である光沢段差を算出する算出手段と、
前記算出手段により、前記特色記録剤を用いて印刷を行わない場合の反射率と比較して、前記特色記録剤を用いて印刷を行った場合の反射率の方が大きい場合は第１の表示形態、
前記算出手段により、前記特色記録剤を用いて印刷を行わない場合の反射率と比較して、前記特色記録剤を用いて印刷を行った場合の反射率の方が小さい場合は第２の表示形態を用いることを決定する決定手段と
前記決定手段にて決定された表示形態により前記指定手段にて指定された領域を表示する表示手段と
を有することを特徴とする画像処理装置。
【請求項２】
前記表示手段は、前記算出手段により算出された光沢段差から前記決定手段で選択された領域を表示する際の濃度を決定する濃度決定手段を有し、
前記濃度決定手段により決定された濃度で、前記決定手段により選択された表示形態により、前記指定手段にて指定された領域を表示することを特徴とする請求項１に記載の画像処理装置。
【請求項３】
前記表示手段は、前記算出手段にて算出された光沢段差が、予め設定していた値より小さい場合、第３の表示形態で前記指定手段により指定された領域を表示することを特徴とする請求項１記載の画像処理装置。
【請求項４】
前記表示手段は、前記指定手段により指定された領域を前記決定手段で決定された表示形態を用いて表示し、さらに該表示形態の縁取り部分については、最大の濃度で表示することを特徴とする請求項１記載の画像処理装置。
【請求項５】
前記表示手段は、前記指定手段により指定された領域を前記決定手段で決定された表示形態を用い、さらに前記領域を透明化させて、前記出力対象の画像データと合成して表示することを特徴とする請求項１に記載の画像処理装置。
【請求項６】
前記表示手段は、前記指定手段によって指定されなかった領域をグレースケール表示することを特徴とする請求項１に記載の画像処理装置。
【請求項７】
前記算出手段では、前記指定手段にて指定された領域を構成する画素のうち、予め決定された画素における光沢段差を算出し、
各画素における光沢段差の偏りが予め設定されていた値よりも大きい場合、前記指定手段により指定された領域を少なくとも２つに分割し、該分割されたそれぞれの領域において再び、前記算出手段を行い、
各画素における光沢段差の偏りが予め設定されていた値よりも小さい場合、前記指定手段により指定された領域の光沢段差を、前記算出の結果における光沢段差を平均した値とすることを特徴とする請求項１記載の画像処理装置。
【請求項８】
前記算出手段では、前記指定手段にて指定された領域を構成する画素のうち、予め決定された画素における光沢段差を算出し、
各画素における光沢段差の偏りが予め設定されていた値より大きい場合でも、前記出力対象の画像データがイメージデータであり、該イメージデータにおいて前記指定手段により指定された領域が存在する場合、予め設定された値を前記領域の光沢段差とすることを特徴とする請求項１に記載の画像処理装置。
【請求項９】
前記算出手段では、前記出力対象の画像データを印刷出力する際に用いる用紙の種類によってルックアップテーブルを作成し、該作成されたルックアップテーブルを参照して反射率を得ることを特徴とする請求項１に記載の画像処理装置。
【請求項１０】
前記ルックアップテーブルを作成する際、さらに印刷出力に用いる記録剤の載り量、光源の照射角度も用いることを特徴とする請求項９に記載の画像処理装置。
【請求項１１】
前記算出手段によって算出される光沢段差は、前記特色記録剤を用いる場合における出力用紙における表面の凹凸と前記特色記録剤を用いない場合における出力用紙における表面の凹凸の変化量に比例した値として算出されることを特徴とする請求項１に記載の画像処理装置。
【請求項１２】
前記特色記録剤とは、透明トナーであることを特徴とする請求項１に記載の画像処理装置。
【請求項１３】
出力対象の画像データにおいて特色記録剤を用いて印刷を行う領域を指定する指定ステップと、前記指定ステップにより指定された領域に対して、前記特色記録剤を用いた印刷を行った場合の反射率と、前記特色記録剤を用いずに印刷を行った場合の反射率を比較し、該比較により求められる反射率の差分である光沢段差を算出する算出ステップと、
前記算出ステップにより、前記特色記録剤を用いて印刷を行わない場合の反射率と比較して、前記特色記録剤を用いて印刷を行った場合の反射率の方が大きい場合は第１の表示形態、
前記算出ステップにより、前記特色記録剤を用いて印刷を行わない場合の反射率と比較して、前記特色記録剤を用いて印刷を行った場合の反射率の方が小さい場合は第２の表示形態を用いることを決定する決定ステップと
前記決定ステップにて決定された表示形態により前記指定ステップにて指定された領域を表示する表示ステップと
を有することを特徴とする画像処理装置の制御方法。
【請求項１４】
前記表示ステップは、前記算出ステップにより算出された光沢段差から前記決定ステップで選択された領域を表示する際の濃度を決定する濃度決定ステップを有し、
前記濃度決定ステップにより決定された濃度で、前記決定ステップにより選択された表示形態により、前記指定ステップにて指定された領域を表示することを特徴とする請求項１３に記載の画像処理装置の制御方法。
【請求項１５】
前記表示ステップは、前記算出ステップにて算出された光沢段差が、予め設定していた値より小さい場合、第３の表示形態で前記指定ステップにより指定された領域を表示することを特徴とする請求項１３記載の画像処理装置の制御方法。
【請求項１６】
前記表示ステップは、前記指定ステップにより指定された領域を前記決定ステップで決定された表示形態を用いて表示し、さらに該表示形態の縁取り部分については、最大の濃度で表示することを特徴とする請求項１３記載の画像処理装置の制御方法。
【請求項１７】
前記表示ステップは、前記指定ステップにより指定された領域を前記決定ステップで決定された表示形態を用い、さらに前記領域を透明化させて、前記出力対象の画像データと合成して表示することを特徴とする請求項１３に記載の画像処理装置の制御方法。
【請求項１８】
前記表示ステップは、前記指定ステップによって指定されなかった領域をグレースケール表示することを特徴とする請求項１３に記載の画像処理装置の制御方法。
【請求項１９】
前記算出ステップでは、前記指定ステップにて指定された領域を構成する画素のうち、予め決定された画素における光沢段差を算出し、
各画素における光沢段差の偏りが予め設定されていた値よりも大きい場合、前記指定ステップにより指定された領域を少なくとも２つに分割し、該分割されたそれぞれの領域において再び、前記算出ステップを行い、
各画素における光沢段差の偏りが予め設定されていた値よりも小さい場合、前記指定ステップにより指定された領域の光沢段差を、前記算出の結果における光沢段差を平均した値とすることを特徴とする請求項１３記載の画像処理装置の制御方法。
【請求項２０】
前記算出ステップでは、前記指定ステップにて指定された領域を構成する画素のうち、予め決定された画素における光沢段差を算出し、
各画素における光沢段差の偏りが予め設定されていた値より大きい場合でも、前記出力対象の画像データがイメージデータであり、該イメージデータにおいて前記指定ステップにより指定された領域が存在する場合、予め設定された値を前記領域の光沢段差とすることを特徴とする請求項１３に記載の画像処理装置の制御方法。
【請求項２１】
前記算出ステップでは、前記出力対象の画像データを印刷出力する際に用いる用紙の種類によってルックアップテーブルを作成し、該作成されたルックアップテーブルを参照して反射率を得ることを特徴とする請求項１３に記載の画像処理装置の制御方法。
【請求項２２】
前記ルックアップテーブルを作成する際、さらに印刷出力に用いる記録剤の載り量、光源の照射角度も用いることを特徴とする請求項２１に記載の画像処理装置の制御方法。
【請求項２３】
前記算出ステップによって算出される光沢段差は、前記特色記録剤を用いる場合における出力用紙における表面の凹凸と前記特色記録剤を用いない場合における出力用紙における表面の凹凸の変化量に比例した値として算出されることを特徴とする請求項１３に記載の画像処理装置の制御方法。
【請求項２４】
前記特色記録剤とは、透明トナーであることを特徴とする請求項１３に記載の画像処理装置の制御方法。
【請求項２５】
コンピュータに、請求項１３に記載の方法を実行させるためのプログラム。
【請求項２６】
少なくとも２種類の形式のファイルを該ファイルの形式に関わらず取り込む取り込み手段を有し、
前記取り込み手段により取り込まれたファイルは、
出力対象の画像データとしても、該出力対象の画像データに対して特色記録剤を用いて印刷を行う領域を示す画像データとしても使用されることを特徴とする画像処理装置。
【請求項２７】
前記取り込み手段により前記出力対象の画像データに特色記録剤を用いて印刷を行う領域を指定する画像データとしてファイルを取り込む際、前記指定されたファイルの形式を判別する判別手段と、
前記判別手段により判定されたファイルの形式ごとに前記画像データをサムネイル表示する表示手段を有することを特徴とする請求項２６に記載の画像処理装置。
【請求項２８】
特色記録剤を用いて出力対象の画像データを印刷するための方法を複数表示する印刷方法表示手段と、
前記印刷方法表示手段により表示された方法から第１の印刷方法が選択されると、
前記出力対象の画像データのうち、前記特色記録剤を用いて印刷を行う領域を指定する画像データをフォームとして接続先の画像形成装置に登録し、該登録したフォームと、前記出力対象の画像データのうち前記特色記録剤を用いずに印刷を行う領域を示す画像データを合成して前記画像形成装置に印刷させる第１の印刷手段と、
を有することを特徴とする画像処理装置。
【請求項２９】
前記複数表示された方法から
第２の印刷方法が選択されると、
前記出力対象の画像データのうち前記特色記録剤を用いずに印刷を行う領域を示す画像データのみ前記画像形成装置に印刷させる第２の印刷手段と、
前記表示された方法から第３の印刷方法が選択されると、
前記出力対象の画像データのうち前記特色記録剤を用いて印刷を行う領域を示す画像データのみ前記画像形成装置に印刷させる第３の印刷手段と、
を有することを特徴とする請求項２８に記載の画像処理装置。
【請求項３０】
少なくとも２種類の形式のファイルを該ファイルの形式に関わらず取り込む取り込みステップを有し、
前記取り込みステップにより取り込まれたファイルは、
出力対象の画像データとしても、該出力対象の画像データに対して特色記録剤を用いて印刷を行う領域を示す画像データとしても使用されることを特徴とする画像処理装置の制御方法。
【請求項３１】
前記取り込みステップにより前記出力対象の画像データに特色記録剤を用いて印刷を行う領域を指定する画像データとしてファイルを取り込む際、前記指定されたファイルの形式を判別する判別ステップと、
前記判別ステップにより判定されたファイルの形式ごとに前記画像データをサムネイル表示する表示ステップを有することを特徴とする請求項３０に記載の画像処理装置の制御方法。
【請求項３２】
特色記録剤を用いて出力対象の画像データを印刷するための方法を複数表示する印刷方法表示ステップと、
前記印刷方法表示ステップにより表示された方法から第１の印刷方法が選択されると、
前記出力対象の画像データのうち、前記特色記録剤を用いて印刷を行う領域を指定する画像データをフォームとして接続先の画像形成装置に登録し、該登録したフォームと、前記出力対象の画像データのうち前記特色記録剤を用いずに印刷を行う領域を示す画像データを合成して前記画像形成装置に印刷させる第１の印刷ステップと、
を有することを特徴とする画像処理装置の制御方法。
【請求項３３】
前記複数表示された方法から
第２の印刷方法が選択されると、
前記出力対象の画像データのうち前記特色記録剤を用いずに印刷を行う領域を示す画像データのみ前記画像形成装置に印刷させる第２の印刷ステップと、
前記表示された方法から第３の印刷方法が選択されると、
前記出力対象の画像データのうち前記特色記録剤を用いて印刷を行う領域を示す画像データのみ前記画像形成装置に印刷させる第３の印刷ステップと、
を有することを特徴とする請求項３２に記載の画像処理装置の制御方法。
【請求項３４】
コンピュータに、請求項３０又は３２に記載の方法を実行させるためのプログラム。
【発明の詳細な説明】
【技術分野】
【０００１】
本発明は、画像処理装置に関するものである。特に、特色記録剤を用いた印刷を実行でき、この印刷実行時に出力する画像を事前にプレビューすることができる画像処理装置に関するものである。
【背景技術】
【０００２】
一般に、ホストコンピュータから供給される描画データを取り込み、この描画データに基づいて画像形成を行う装置として画像処理装置がある。この画像処理装置における印刷方式としては、例えば電子写真方式がある。この電子写真方式の印刷装置では、帯電器で感光ドラムを帯電させ、画像データに応じた書き込み光で感光ドラム上に静電潜像を形成する。この静電潜像に対して現像器でトナーを付着させて現像し、可視像とする。次に、トナー像を感光ドラムから用紙に転写し、熱や圧力で用紙上に定着する。
【０００３】
こうした電子写真方式の画像処理装置において、プロセスカラーといわれる基本の印刷色であるＣＭＹＫ（シアンー、マゼンター、イエロー、ブラック）トナーを使用する。これに加えて、印刷される画像の一部または全部に特色記録剤として、透明色のトナーを印刷することが行われている（特許文献１）。
【０００４】
特色記録剤には、ＣＭＹＫトナー以外トナーであるのグリーン、オレンジ、金銀、透明トナーが含まれる。
【０００５】
中でもこの透明トナーとは、透過性がある画像を付加する特徴を有する透明記録剤である。また、透明トナーを用いると、有色トナーのみ用いて行われた印刷とは異なった光沢感やつや感マット感等の特殊な質感を表現することができる。
【０００６】
また、特色記録剤を用いて印刷を行う前に、予め印刷出力物のプレビューを提供する装置も提案されている（特許文献２）。この特許文献２では、特色記録剤を使用して、印刷データを印刷出力する際に、予め特色記録剤を用いて印刷出力される部分を検出し、検出された部分を特定の色やパターンでプレビュー表示する。
【０００７】
さらに、この特許文献２においては、特色記録剤のプレビュー表示はＯＦＦ／Ａｕｔｏ／指定色を設定可能としている。例えば、ＯＦＦ設定の場合は表示せず、Ａｕｔｏ設定の場合は特色記録剤が載る箇所の色を検出してその色と異なる色を特色部分としてプレビュー表示する機能を有する。また、指定色設定の場合、ユーザが指定した色で特色記録剤が載る位置を表示する。
【先行技術文献】
【特許文献】
【０００８】
【特許文献１】特開２００６−２５１７２２号公報
【特許文献２】特開２００８−１４５７８４号公報
【発明の概要】
【発明が解決しようとする課題】
【０００９】
特色記録剤を用いて印刷を行った場合、特色記録剤を用いた効果が常に一定であれば（特色グリーンや特色オレンジによるベタ塗りなど）、その特色記録剤を載せる箇所を表現するためのプレビューは、特許文献２に開示される方法を用いればよい。すなわち、図１の１０１、１０２、１０３で示すように、所定の色やパターンで表示することで、ユーザは印刷の仕上がりを十分想像できる。しかし、近年、市場に出現している透明トナーを用いた印刷を用いて印刷を行うと、印刷出力物表面の光の反射率を変化させることができる。この特性を活かして、印刷出力物に対して透かし模様を施したり、質感のある装飾効果を生み出すことが可能である。透明トナーには、この透明トナーを付加する下地の状態に応じて、光の反射率を変化させるという特徴がある。（ここで、下地とは、透明トナーを付加する前の印字媒体（出力用紙）表面の状態である。なお、下地の状態に応じて反射率が変化するという特徴については、その事例を後述する）。透明トナーを用いた場合、このトナーがもたらす印刷効果は上記の特色グリーンや特色オレンジのベタ塗りのように、その部分の印刷効果が常に一定にならない。
【００１０】
ここで、透明トナーを用いて印刷する場合、下地の状態に応じて変化する光の反射率について下地の特徴別にその事例を図２の２０１〜２０４に示す。図２の２０１は、平滑度の高いいわゆるコート紙上に透明トナーを用いた印刷を行った際、印刷出力物における光の反射率を示した模式図である。
【００１１】
印刷出力物において、印刷時にトナーを用いなかった部分である（ａ）では、その部分の平滑度は高いままなので反射率が高い。しかし、同一の印刷出力物において透明トナーを用いた印刷を行った部分である（ｂ）では、透明トナーがもたらす凹凸によりその部分の平滑度が失われて光の反射率が落ちる。
【００１２】
これ対して図２の２０２は、平滑度の低いいわゆるマット紙上に透明トナーを用いた印刷を行った際に印刷出力物における光の反射率を示した模式図である。
【００１３】
印刷出力物において、印刷時にトナーを用いなかった部分である（ａ）では、その部分の平滑度が低いので反射率も低い。しかし、同一の印刷出力物において透明トナーを用いた印刷を行った部分である（ｂ）では、マット紙にそのものの凹凸が透明トナーによって平滑化されて反射率が高くなる。
【００１４】
さらに、図２の２０３は、印刷用紙の上にイエロートナーのような、色素の特性が比較的透明に近いトナーを用いて印刷を行った場合について示した模式図である。（ａ）はイエロートナーを用いた印刷を行った部分の上にさらに透明トナーを用いた印刷を行った場合の光の反射率を示した模式図である。（ａ）には、透明トナーと同様の特性を有するトナーを用いて印刷された部分に、さらに透明トナーを用いないで印刷を行った状態の光の反射について模式的に示す。（ｂ）には、透明トナーと色素の特性が近いトナーを用いて印刷された部分にさらに透明トナーを用いて印刷を行った状態の光の反射について模式的に示す。（ａ）と（ｂ）に示す図から両者の反射率はそれほど変わらない。
【００１５】
透明トナーと色素の特性が近いトナーとは、たとえば、色素の薄いイエロートナーがあげられる。
【００１６】
一般的に、白色（色素が薄い）と黒色（色素が濃い）を比較すると、黒色の方が光を吸収するため光の反射量は少ない。一方、白色は光を吸収しないため光の反射量は多い。
【００１７】
この白色と同様に、イエロートナーも色が薄いため、光の吸収量が少なく反射が大きい。また、透明トナーも色が薄く、イエロートナーと同様の性質を有する。
【００１８】
よって、反射率が大きいイエロートナーの上に反射率の大きい透明トナーを載せても、透明トナーを載せる前後の光の反射率に違いがでないと言える。
【００１９】
この図２の２０３に対し、２０４では、印刷用紙上にブラックトナーのような色素の特性が透明トナーとは異なるトナーを用いて印刷を行った部分の上にさらに透明トナーを用いた印刷を行った場合の光の反射率を示した模式図である。（ａ）には、透明トナーと色素の特性が異なるトナーを用いた印刷を行った部分の光の反射について模式的に示す。（ｂ）には、透明トナーと色素の特性が異なるトナーを用いた印刷を行った部分の上に透明トナーを用いて印刷を行った部分の光の反射について模式的に示す。（ａ）と（ｂ）に示す図から両者の反射率は変化する結果となる。
【００２０】
これは、２０３とは反対に、透明トナーとは色素の特性が大きく異なり、色素が濃く、光を吸収し、光の反射率が小さいブラックトナーの上に、光の反射率の大きい用い透明トナーの載せたためといえる。
【００２１】
このように、特色記録剤の特性によっては、下地の状態によって印刷後、仕上がった出力物における効果が変化する特色記録剤がある。このような特性を有する特色記録剤を用いた印刷を行う場合、この印刷を実行する前のプレビューにおいて、単に所定の色で特色記録剤が印刷される箇所を表示するだけでは、ユーザは印刷結果を明確に想像することが困難である。
【００２２】
また、特色記録剤がクリアトナーのような透明な色剤の場合、塗布する色剤が透明であるのに、単に予め設定された代替色で該当箇所を表示するプレビューを行うと、その背景に印刷されている特色記録剤以外の色材で構成されるオブジェクトが隠れてしまう。これにより実際に印刷されるはずの出力物とは大きく異なる印刷結果がプレビューされてしまう。これも、ユーザに対して印刷結果を想像しづらくする原因となっている。
【００２３】
本発明では、下地の状態により印刷出力物の仕上がり効果が変化する特色記録剤を用いて印刷を行う前、この印刷を行うのに必要な印刷データの編集作業を行う場合に用いるプレビューを提供することを目的とする。さらに、特色記録剤を用いて印刷をする箇所に対して、ユーザがその特色記録剤がもたらす効果の度合いを確認しながら編集作業が行えるプレビューを提供することを目的とする。
【００２４】
また、プレビュー画面で処理する対象の画像データやこの画像データに特色記録剤を用いて印刷を行う領域を指定するデータのファイル作成する際、ファイルを使用する用途に応じてファイル形式を制限して保存をすると形式の確認に手間がかかる。またこの場合、保存時のファイル形式を間違えると、ユーザが指定するファイルをユーザが所望する用途で使用できない可能性もある。
【００２５】
よって、本発明では、ファイル形式に関係なくユーザに指定されたファイルを取り込むことが可能な画像処理装置を提供することを目的とする。
【００２６】
また、本発明では、印刷方法を複数表示させ、選択された方法によって印刷を実行させる画像処理装置を提供することを目的とする。
【課題を解決するための手段】
【００２７】
本願における画像処理装置は、出力対象の画像データにおいて特色記録剤を用いて印刷を行う領域を指定する指定手段と、前記指定手段により指定された領域に対して、前記特色記録剤を用いた印刷を行った場合の反射率と、前記特色記録剤を用いずに印刷を行った場合の反射率を比較し、該比較により求められる反射率の差分である光沢段差を算出する算出手段と、前記算出手段により、前記特色記録剤を用いて印刷を行わない場合の反射率と比較して、前記特色記録剤を用いて印刷を行った場合の反射率の方が大きい場合は第１の表示形態、前記算出手段により、前記特色記録剤を用いて印刷を行わない場合の反射率と比較して、前記特色記録剤を用いて印刷を行った場合の反射率の方が小さい場合は第２の表示形態を用いることを決定する決定手段と前記決定手段にて決定された表示形態により前記指定手段にて指定された領域を表示する表示手段とを有することを特徴とする。
【発明の効果】
【００２８】
本発明によれば、特色記録剤を用いて印刷を行う前に、この印刷を行うために必要な印刷データの編集作業を行う場合、特色記録剤を用いた印刷をする箇所に対し、その特色記録剤がもたらす効果の度合いを確認しながら編集作業が行える。よって、印刷後の印刷出力物を確認しながら編集作業を行うことが可能になる。
【００２９】
また、編集作業を行うプレビュー画面に処理対象の画像データやこの画像データに特色記録剤を用いて印刷を行う領域を指定するデータのファイルを取り込む際、ファイル形式に関係なくユーザに指定されたファイルを取り込むことが可能になる。
【００３０】
また、複数の印刷方法から選択された方法によって印刷を実行することが可能になる。
【図面の簡単な説明】
【００３１】
【図１】発明が解決しようとする課題の例を示した図である。
【図２】光の反射性能の例を示した図である。
【図３】光の反射性能の例を示した図である。
【図４】ルックアップテーブルの例を示した図である。
【図５】ハードウェア構成の例を示した図である。
【図６】画像処理装置の処理手順を示したフローチャートである。
【図７】画像処理装置における、光沢段差の算出処理の処理手順を示したフローチャートと、その補足図である。
【図８】ユーザーインターフェースの例を示した図である。
【図９】ユーザーインターフェースの例を示した図である。
【図１０】ユーザーインターフェースの例を示した図である。
【図１１】ユーザーインターフェースの例を示した図である。
【図１２】光の反射に関して、その模式を示した図である。
【図１３】光の反射に関して、その模式を示した図である。
【図１４】光の反射に関して、その模式を示した図である。
【図１５】透明度と光沢段差の関係を示した図である。
【図１６】特定の画素から、トナーの載り量に変換した例を示した図である。
【図１７】ルックアップテーブルから、反射率を取得する例を示した図である。
【図１８】ルックアップテーブルから、反射率を取得する例を示した図である。
【図１９】ユーザーインターフェースの例を示した図である。
【図２０】ユーザーインターフェースの例を示した図である。
【図２１】ユーザーインターフェースの例を示した図である。
【図２２】ユーザーインターフェースの例を示した図である。
【図２３】スタンプとして取り込むファイルの種類判定の処理手順を示したフローチャートである。
【図２４】印刷モードを選択するユーザーインターフェースの例を示した図である。
【発明を実施するための形態】
【００３２】
以下、本発明を実施するための最良の形態について図面を用いて説明する。なお、以下の実施形態は特許請求の範囲に係る本発明を限定するものではなく、また本実施形態で説明されている特徴を組み合わせたもののすべてが本発明の解決手段に必須のものとは限らない。
【００３３】
また、特色記録材として、透明トナーを用いるが、これに限られたことはなく、下地の状態で、光の反射率を変えるような記録剤であればよい。たとえば、淡トナー、クリアインク、などがある。
【００３４】
また、以下において、図２の２０１〜２０４で示したように、透明トナーを用いて印刷する前と印刷した後で、印刷対象部分に生じる反射率の差を「光沢段差」と定義する。この光沢段差は透明トナーと下地状態の関係により光沢段差は生じ、下地状態との差異によって光沢段差の大きさはかわる）。
【００３５】
なお、本願発明では光沢段差を定量的に扱うが、この光沢段差を、透明トナーを用いて印刷する前の光の反射率と、透明トナーを用いて印刷した後の光の反射率との差として定義する。光の反射率は百分率によって表されるので、その差である光沢段差についても百分率で表すことができる。また、この反射率の差は、透明トナー印刷前の出力用紙表面の凹凸と、透明トナー印刷後の出力用紙表面の凹凸の変化量に比例しているといえる。
【００３６】
図３は、図２の２０１〜２０４における光沢段差を示した模式図である。３０１は透明トナーを用いて印刷されたことで、トナーを用いずに印刷された場合と比較して反射率が下がる状態（（ａ）＞（ｂ））を表している。この状態を「光沢が下がる」と表現する。
【００３７】
３０２と３０４は、透明トナーを用いて印刷を行うことで、透明トナーを用いずに印刷された場合と比較して反射率が上がる状態（（ａ）＜（ｂ））を表している。この状態を「光沢が上がる」と表現する。３０３は、透明トナーを用いて印刷しても、用いずに印刷しても反射率に変化は生じない（（ａ）＝（ｂ））。この場合を「光沢段差なし」と表現する。
【００３８】
以下、各実施形態において説明するのは、特色記録剤を用いて印刷ができる画像処理装置であり、特色記録剤を用いて印刷をする画像のプレビュー機能を提供するものである。ただし、図２の２０１〜２０４で示したように、下地の状態によって印刷の仕上がり効果が変化する特色記録剤を含むプレビューについては、以下の処理を実行する。
【００３９】
この一連の処理について簡単に説明をする。
【００４０】
まず、特色記録剤以外で構成されるコンテンツをグレースケール表示のような、単一カラーの強弱によって表示する。特色記録剤を載せる箇所については、上記とは異なる色で表示する。
【００４１】
そして「光の反射率に関するデータが収められたルックアップテーブル」を保持し、これを使い、特色記録剤を用いて印刷をした場合と、特色記録剤を用いないで印刷をした場合の光沢段差を算出する。
【００４２】
特色記録剤を用いて印刷を行った場合の方が、光沢が上がる場合は第１のパターン、光沢が下がる場合は第２のパターンを選択する。例えば、第１の色と第２の色を選択する。
【００４３】
さらに、前記定義した光沢段差の度合い（差分の大きさ）に応じて、前記選択した第１の色もしくは第２の色に濃度（透明度）を与えて表示する。（濃度の与え方については後述する）。
【００４４】
上記、「光の反射率に関するデータが収められたルックアップテーブル（ＬＵＴ）」とは、各種条件（紙の種類、光源の照射角度、ＣＭＹＫトナーの載り量、透明トナーの載り量など）によって変化する、光の反射率に関するデータを収めた情報テーブルである。
【００４５】
ルックアップテーブルは、印刷したカラーチャートを光学計測器で測ることによる実測上の測定値をもとに作成することもあれば、色材シミュレータなどによる論理上の測定値をもとに作成することもある。この色材シミュレータは、実測上の測定を行う代わりに、コンピュータ上で測定を行う。この測定を行うには、まず紙種の特性（凹凸等を示すもの）や、色別の特性（屈折率や波長別の反射特性（スペクトル））をこのシミュレータに入力する。すると、ある紙種に対するトナー載り量ＣＭＹＫ（０，０，０，０）→ＣＭＹＫ（５０％，５０％，５０％，５０％）→ＣＭＹＫ（１００％，１００％，１００％，１００％）の組み合わせに対する、光の反射特性（ルックアップテーブル）を自動で算出する。また、ＬＵＴに光の反射率のデータを収める場合においては、双方向反射率分布関数といった光の反射率を一般化した光学モデルにて用いられる形に変換し、そのモデルの関数のパラメーターのみを収める。
【００４６】
また、光学計測器にて実測した前記測定結果をこの光学モデルに変換する際には、最小二乗法などによる近似を行い、対象とするモデルの関数のパラメーターを決定するのが一般である。
【００４７】
なお、光の反射に関するモデルはフレネル反射のような簡易的なモデルをはじめ数多く存在している。以下で説明する実施形態においては、光沢段差を算出するのに必要な光の反射率を求めることができるモデルであれば、どのモデルを用いてもよい。
【００４８】
このように作成されたＬＵＴの１種を簡易的に模式したものが図４である。ＬＵＴは、４０１〜４０８に示すように、条件の組み合わせに対して、対象とするモデルの関数のパラメーターが与えられているテーブルである。なお、実際のＬＵＴは、本画像処理装置のみが読み解くことのできる、条件とパラメーターを列挙したファイルである。このＬＵＴを用いることができる画像処理装置においては、光の反射率を求めるための必要な条件として次のデータが必要となる。具体的には、印刷出力用紙の種類４０１、光源の入射角度４０２、シアントナーの載り量４０３、マゼンタトナーの載り量４０４、イエロートナーの載り量４０５、ブラックトナーの載り量４０６、透明トナーの載り量４０７である。以下、これら条件の組み合わせに対する対象モデルの関数のパラメーター（４０８）を収めたＬＵＴが、画像処理装置内部又は画像処理装置とネットワークを介して接続されているメモリに保持されていることを前提に処理を行う。
【００４９】
本実施形態で用いるＬＵＴからは、各条件を入力することで、対象とするモデル関数のパラメーターが得られ、さらに、そのパラメーターをモデルの関数に代入することで、下地の各状況に対応する反射率を求めることが出来る。利用する光学モデルにもよるが、簡易的には図１２で示すような関係によって、光の反射現象が成り立っている。１２０１は光の反射を表した模式図である。Ｎは表面法線を表し、Ｈは光源の入射方向と観測者の観測方向のなす角の２等分線を表し、θはＮとＨの間になす角を表している。このとき、光源の反射率とθの関係は１２０２のような結果として表れる。この結果は、前記各条件から得られる対象とするモデル関数のパラメーターによって変化するものである。
【００５０】
なお、先述したように、同じ場所であっても、ＮとＨのなす角θによって反射率が異なる。図１３の１３０１は、あらゆる角度へ反射した光の反射率を表した模式図である。このように、同じ場所であってもあらゆる光の反射率（光の反射率）が存在するので、光沢段差を求める際には、特定の角度を基準として算出する必要がある。例えば、図１４の１４０１で示すように、θ＝０°を基準の角度にした場合には、光沢段差の性質として、光の反射率のピークにおける差異が求められることになる。
【００５１】
以上のように定義されるＬＵＴ及び光学モデルを用いて、実施形態１〜実施形態４について説明する。
【００５２】
［実施形態１］
（本実施形態の画像処理装置の構成例）
図５は、本実施形態の画像処理装置の構成例を示すブロック図である。５０１は演算制御用のＣＰＵである。５０２はデータ及び指示入力のためのヒューマンインターフェースデバイスであり、キーボードやマウス、タッチパネルといったものが相当する。５０３は画像処理装置の画像を表示するディスプレイである。５０４はＬＵＴ等あらゆるデータを格納するハードディスクである。５０５は装置を制御するプログラムや必要な情報をあらかじめ記憶するＲＯＭである。２０６は様々なワークエリアとして利用されるＲＡＭである。５０７は本実施形態の画像処理装置の処理部である。
【００５３】
なお、画像処理装置の処理部５０７は、ＲＯＭ５０５に格納されたコンピュータプログラムをＣＰＵ５０１が実行することで実現される。すなわち、コンピュータプログラムは、コンピュータを、画像処理装置の処理部５０７として機能させることができる。なお、コンピュータプログラムが記憶されるコンピュータ読み取り可能な記憶媒体は、ＲＯＭ５０５に限るものではなく、例えばハードディスク５０４であってもよい。
【００５４】
また、以下の説明では、特色記録剤として透明トナーを用いるが、この特色記録剤には、透明トナー以外にも、印刷用紙等の媒体、又はトナー等が積載された媒体上に光沢度を変更させるようなトナー、インク等であればよい。例えば、透明トナーの他にも、淡トナーや透明インク等、他の特色記録剤を用いても構わない。
【００５５】
（本実施形態の画像処理装置の動作例）
図６は、本実施形態に係る画像処理装置を表すフローチャートであり、本画像処理装置のユーザはディスプレイ５０３を確認しながら、ヒューマンインターフェースデバイス５０２を操作することで処理を実行する。
【００５６】
まず、本画像処理装置は、図８の８０１に示すようなウィンドウとインターフェースが用意されておりＰＤＦ（Ｐｏｒｔａｂｌｅ  Ｄｏｃｕｍｅｎｔ  Ｆｏｒｍａｔ。  ＰＤＦはアドビ社の登録商標）などの描画可能な電子文書データを取り込むことで、８０２の領域にその描画可能な電子文書データを表示して開始する。なお、ＰＤＦデータに限らず、描画可能な電子文書データであればＰＤＦデータ同様に、本画像処理装置に取り込めることはいうまでもない。また、描画可能な電子文書データは、プロセスカラーであるＣＭＹＫの描画データに変換しておく。これは、ＣＭＹＫの各チャンネルの大きさが、ＣＭＹＫの各トナーの載り量に相当するからである。
【００５７】
図１６は特定の画素について、ＣＭＹＫの各チャンネルの大きさを、ＣＭＹＫの各トナーの載り量に変換した例を示している。各色８ｂｉｔで表現されるＣＭＹＫの描画データから、１６０１の画素を取り出し、この画素１６０１における各チャンネルの大きさ１６０２を得る。各色８ｂｉｔのＣＭＹＫの描画データであることから、画素１６０１におけるＣＭＹＫの各トナーの載り量は、１６０２で得た値から１６０３の結果を得ることができる。
【００５８】
ステップＳ６０１では、図９で示すように、前記８０２の領域に対して、取り込まれた電子文書データを、グレースケールなどを用いて単一色の強弱によって表示を行う。これは、のちの操作で特色記録剤を用いて印刷する設定を行う際に、その特色記録剤が印刷される箇所の視認性を向上させるためである。
【００５９】
ステップＳ６０２では、特色記録剤を印刷する設定が行われたか否かを判定する。本実施形態において、特色記録剤を印刷する領域を決める設定方法の具体例については図１０に示す。
【００６０】
例えば、図１０の１００１に示すようなアノテーション形式のスタンプのオブジェクトを有する表示画面がある。このオブジェクトの中からユーザがヒューマンインターフェースデバイス５０２を介して指定したスタンプを、ドラッグ＆ドロップ等の操作によって、出力対象である画像データ内に移動させる。このようにして、特色記録剤を用いて印刷する領域を設定することができる。
【００６１】
他にも例えば、１００２のスタンプをドラッグし、１００３、１００４、１００５といった任意の位置にドロップすることで、スタンプのオブジェクトを載せることができる。なお、特色記録剤を印刷する設定はスタンプのような点在させる設定に限らず、全面を装飾するようなテンプレートが用意されていてもよい。
【００６２】
ステップＳ６０３では、ステップＳ６０２で設定された、特色記録剤を載せる箇所に対して、光沢段差の算出処理を行う。ステップＳ６０３における処理の詳細について、図７（ａ）のフローチャートを使って説明する。
【００６３】
ステップＳ７０１では、特色記録剤を印刷する設定がなされた領域であるオブジェクトの、特定のポイントを抽出する。特定のポイントの抽出方法として、例えば図７（ｂ）に示すようにスタンプのオブジェクトであれば、そのグラフィックスを構成する制御点を前記ポイントとすればよい。なお、全画素について光沢段差を求めずに、予め設定された特定のポイントのみに対して光沢段差を求めるのは、処理の高速化のためである。
【００６４】
ステップＳ７０２では、特色記録剤を印刷しない場合における、前記特定のポイントでの光の反射率を取得する。
【００６５】
光の反射率を取得するには、まず図１７に示すように、ＬＵＴを参照し、前記特定ポイントでの特色記録剤を載せない状態（紙種、光源の照射角度、ＣＭＹＫトナーの載り量））に合うパラメーターを取得する。（例えば１７０１のパラメーター）。そして、画像処理装置が対象とする光学モデルの関数に代入することで、反射率を取得する。（例えば関数１７０２に代入して５０％を得る）。なお、ＬＵＴを参照することからパラメーターを取得するにあたり、紙種については、図１０の１００６のようなインターフェースを本画像処理装置に用意し、ユーザによって選択されるものとする。また、ＣＭＹＫトナーの載り量については、先述したように、描画可能な電子文書データから取得する。
【００６６】
ステップＳ７０３では、特色記録剤を用いて印刷を行う場合における、前記ポイントでの光の反射率を取得する。図１８に示すように、ルックアップテーブルから前記ポイントでの、特色記録剤を載せた状態（紙種、光源の照射角度、ＣＭＹＫトナー及び透明トナーの載り量）に合うパラメーターを取得する。（例えば１８０１のパラメーター）。そして、画像処理装置が対象とする光学モデルの関数に代入することで、反射率を取得する。（例えば関数１８０２に代入して８０％を得る）。
【００６７】
なお、本実施形態の画像処理装置において特色記録剤の載り量の指定は、特色記録剤を載せる（１００％）、載せない（０％）の２種類である。しかし、この載り量が調整できるシステム（例えば０％〜１００％のうち、ユーザ任意の値をとってもよい）であってもよい。
【００６８】
ステップＳ７０４では、ステップＳ７０２で取得した反射率と、ステップＳ７０３で取得した反射率の差異を求め、光沢段差を算出する。
【００６９】
そして、ステップＳ７０５では、各ポイントにおいて算出された光沢段差の標準偏差（各ポイントにおける光沢段差の値のばらつき）を求める。その標準偏差が予め設定されていた値より小さければ、各ポイントにおける光沢段差のばらつきが少ないとし、ステップＳ７０７の処理に進む。
【００７０】
一方、算出された標準偏差が予め設定されていた値より大きければ、各ポイントにおける光沢段差のばらつきが多いとし、ステップＳ７０６の処理に進む。なお、標準偏差において予め設定されていた値は、本画像処理装置において予め設定されていてもよいし、ユーザから設定されてもよい。
【００７１】
ステップＳ７０６は、ステップＳ７０５において、各ポイントの光沢段差の標準偏差が予め設定されていた値より大きいと判断された後の処理である。よって、ステップＳ７０６では、図７（ｃ）に示すようにポイントを結んでオブジェクトを分割し、分割したそれぞれのオブジェクトにおいて再度ステップＳ７０１〜Ｓ７０５を実行する。
【００７２】
なお、オブジェクト内にて、分割前に光沢段差を算出したポイントの数が３つ以下などであるために分割の余地がない場合は、ステップＳ７０５の判定がＮｏの基準であっても、ステップＳ７０７に進めるとしてもよい。また、処理の高速化の観点から、ステップＳ７０５によるループ回数を制限し、所定の回数に達した場合には、ステップＳ７０５の判定がＮｏの基準であっても、ステップＳ７０７に進めるとしてもよい。
【００７３】
ステップＳ７０７では、各ポイントの光沢段差を平均したものを、オブジェクト範囲全体の光沢段差とする。なお、ステップＳ７０６でオブジェクトが分割されている場合は、分割後のそれぞれのオブジェクトで光沢段差を持たせるものとする。
【００７４】
光沢段差の算出処理の終了後、ステップＳ６０４に進む。ステップＳ６０４では、ステップＳ６０３で算出した光沢段差について、特色記録剤を用いて印刷を行うと、特色記録剤を用いないで印刷を行う場合より光沢が下がる変化であるのか、光沢が上がる変化であるのかを判定する。
【００７５】
ステップＳ６０３でオブジェクトが分割されている場合は、それぞれのオブジェクトごとに本判定処理を行う。
【００７６】
図３の３０１で示したように、特色記録剤を用いた方が、特色記録剤を用いないで印刷を行う場合よりも光沢が下がる変化の場合は、ステップＳ６０５に進む。
【００７７】
また、３０２で示したように、特色記録剤を用いた方が、特色記録剤を用いないで印刷を行う場合よりも光沢が上がる変化の場合は、ステップＳ６０６に進む。
【００７８】
そして、ステップＳ６０５へ進んだ（光沢が下がる、つまり、特色記録剤の印刷によりマット感がでる）場合と、ステップＳ６０６へ進んだ（光沢が上がる、つまり、特色記録剤の印刷によりグロス感がでる）場合とで、プレビュー時に用いる色を変える。
【００７９】
つまり、
ステップＳ６０６では、特色記録剤を用いて印刷を行う箇所に対して赤色を用いて表示を行う。例えば、図１１の１１０１および１１０２が、特色記録剤を用いるとグロス感がでる領域であったとすると、この領域をプレビューする際には、赤色を用いる。
【００８０】
一方、ステップＳ６０６へ進んだ場合、特色記録剤を用いて印刷を行う箇所に対して、青色を用いて表示を行う。
【００８１】
さらに、色を用いて表示を行う際も、光沢段差が大きくなるほど、濃度を濃くして表示を行う。つまり、特色記録剤による効果が大きいほど、プレビューに用いる色の濃度を濃く表示する。
【００８２】
この時濃度決定を行うために、先のステップＳ６０３で算出した光沢段差を用いる。例えば、図１１の１１０１は、光沢段差が小さい。よって、まず光沢が上がる部分を表現するために赤色を用いてプレビューを行い、さらにこの濃度を下げて光沢段差が小さい（特色記録剤による効果が小さい）ことを示す。
【００８３】
また、図１１の１１０２は光沢段差が大きい。よって、まず光沢が上がる部分を表現するために赤色を用いてプレビューを行い、さらにこの濃度上げて光沢段差が大きい（特色記録剤による効果が大きい）ことを示す。
【００８４】
なお、この時の濃度は、百分率で求まる光沢段差を利用してもよい。
【００８５】
光沢段差が大きいほど、比例して表示時の濃度を大きくする。比例していなくとも、段階的に光沢段差が小さくなればなるほど、表示時の濃度を下げてもよい。
【００８６】
光沢段差が大きければ、特色記録剤を用いた場合とそうでない場合との差が大きいということになり、この部分については色を濃くすることで、透明トナーを用いたことによる効果が大きいことを表現することができる。
【００８７】
また、本実施形態では、色決定によって場合分けを行った（第１の色を青、第２の色を赤とした）。しかし、色に限らず、領域表示するパターンによって場合分けを行うために、第１のパターンと第２のパターンを用いて、場合分けを行ってもよく、２つの異なるパターンがプレビュー上で区別できるように、表示時の表示形態が異なればよい。
【００８８】
さらに、特色記録剤を用いて印刷を行う第１のパターンや第２のパターンによって表示された領域を透明化して表示してもよい。この場合、透明化した領域と下地である画像データを合成することで、下地となる画像データの視認性を維持したまま、特色記録剤を載せる領域を表現することが可能である。
【００８９】
この時は、上記した濃度の代わりに「透明度」を用いて表示を行う。例えば、図１５の１５０１で示すように「透明度（％）＝１００（％）−光沢段差（％）」として透明度を決めてもよい。また、１５０２で示すように１５０１をベースとしたステップ関数から透明度を決定し、光沢段差の大小がより明確に表現できる表示としてもよい。
【００９０】
そして、求められた透明度により、光沢段差が大きい部分は、特色記録剤がもたらす透明度が小さくなり、下地が見えにくくなる。つまり特色記録剤による影響が大きいことが分かる。一方、光沢段差が小さい部分は、特色記録剤がもたらす透明度が大きくなり、下地が見えやすくなる。つまり特色記録剤による影響が小さいことが分かる。
【００９１】
以上により本実施形態を用いると、下地の状態によって印刷の仕上がり効果が変化する特色記録剤を載せる印刷出力物を編集する際、特色記録剤を用いて印刷を行う領域に対するその効果の度合いをプレビュー上で確認しながら編集作業が行える。よって、印刷の仕上がり結果をより良くイメージしながら編集作業を行うことが可能になる。
【００９２】
［実施形態２］
実施形態１のステップＳ６０５およびステップＳ６０６においては、第１のパターンおよび第２のパターンを用いて、透明トナーによる効果を表示し、さらに濃度を与えることによって光沢段差（透明トナーによる効果）の大きさを表示した。本実施形態２では、例えば光沢段差の閾値が１０％未満など、光沢段差が小さい場合において、その状態をユーザに対してより明確にするために、第１のパターンおよび第２のパターンとは異なるパターンで表示する。例えば、光沢段差が予め設定された値以下になる場合には、第１のパターン及び第２のパターンとは別の第３のパターンを用いて表示する。これにより、特色記録剤を用いて印刷を行っても、ユーザが望む印刷結果を得ることが難しいことを予め警告することができる。また、この際の光沢段差の閾値は予めユーザが任意の値を設定することができる。また、透明度を高くすると該当箇所は目立たないので、第３のパターンについては予め設定された所定の濃度を用いる。
【００９３】
以上により、本実施形態２を用いると、画像処理装置のユーザは、光沢段差が出ないという注意喚起を受けることが出来る。
【００９４】
［実施形態３］
実施形態１のステップＳ６０５およびステップＳ６０６においては、第１のパターンおよび第２のパターンに対し濃度を与えることによって光沢段差の大きさを表示した。
【００９５】
本実施形態３では、光沢段差が１０％未満など、光沢段差が小さい場合においては、特色記録剤を用いて印刷を行う領域であるオブジェクトが確認し辛くなるので、特色記録剤を載せるオブジェクトの縁取り部分については常に濃度は最大値で表示する。こうすることで、表示時には、縁取りがはっきりするので、印字位置の確認がしやすい。
【００９６】
以上により本実施形態３を用いると、画像処理装置のユーザは、光沢段差が小さいため、プレビューに用いる色の濃度が薄くなっている領域（オブジェクト）に対しても、編集画面においてどの場所に在るのかという認識性を高めることが出来る。
【００９７】
［実施形態４］
印刷出力用紙において、特色記録剤を用いて印刷を行う領域の下地に、デジタルスチルカメラで撮影された写真のように、色の構成が多色に渡るイメージデータが印刷される場合がある。この場合、下地の性質が拡散することから、実施形態１におけるステップＳ７０５の標準偏差の判定処理においてＮｏと判断される傾向が強くなり、何度もループ処理にまわってしまう場合が考えられる。この場合、処理に時間がかかったり、エラーが出やすくなってしまう。
【００９８】
よって、特色記録剤を用いて印刷を行う領域の下地にイメージデータが印刷される場合は、ステップＳ７０５の判定がＮｏの基準であっても、ステップＳ７０７に進んでもよい。または、ステップＳ７０５の処理を行わないで、規定値によって光沢段差の値を与え、ステップＳ７０７に進めてもよい。
【００９９】
以上により、本実施形態４を用いると、画像処理装置におけるプレビュー画面作成の処理を高速化することができる。
【０１００】
［実施形態５］
本実施形態では、画像データに対して編集作業を行える本画像処理装置のプレビュー画面に、処理対象である電子文書データやこの電子文書データに対して特色記録剤を用いて印刷を行う領域を示すスタンプ用のデータを取り込む際の処理について説明する。
【０１０１】
本画像処理装置は、図１９の１９０１に示すような目的別に設けられた複数の領域を有するプレビュー画面が用意されている。１９０２の領域には、ＣＭＹＫ等の特色トナーではない一般的なトナーを用いて印刷するよう設定される原稿となる電子文書データを表示する。また、１９０３の領域には特色記録剤を用いて印刷する領域を指定するための、アノテーション形式のスタンプのオブジェクトのサムネイル表示を行う。
【０１０２】
このスタンプをプレビュー画面に表示されている電子文書データの任意の位置にドロップすると、電子文書データの任意の位置に対して特色記録剤を用いた印刷を指示できる。
ドロップされたスタンプはプレビュー画面において拡大、縮小、変形等の編集が可能である。
【０１０３】
図１９の１９０２の領域に対して図２０の２００２に示すように、電子文書データのファイルを指定してこのファイルに対し、ドラッグアンドドロップ等の操作をする。これにより、指定する電子文書データのファイルを処理対象の電子文書データとして画像処理装置に取り込むことができる。つまり、プレビュー画面は図８から図９の状態に遷移する。
【０１０４】
ここでファイルを「取り込む」とは、ファイルに含まれる画像データに対して処理を行うための指示ができるように本プレビュー画面を操作するシステム内に入力することである。
【０１０５】
他方で、図１９の１９０３の領域に対して図２１の２１０２に示すように、画像形式のラスターグラフィクスデータのファイルを指定して、このファイルに対しドラッグアンドドロップ等の操作をする。
【０１０６】
これにより、指定するラスターデータを、特色記録剤を用いて印刷する領域を設定するためのラスターグラフィックスタイプのスタンプのオブジェクトとして画像処理装置に取り込むことができる。つまり、ユーザによって図１０の１００１の表示画面に示されるスタンプを変更することが可能になる。
【０１０７】
さらに、図１９の１９０３の領域に対して図２２の２２０２に示すように、ＰＤＦ等のベクターグラフィックスを含むデータのファイルを指定して、このファイルに対し、ドラッグアンドドロップ等の操作をする。
【０１０８】
これにより、指定するベクターデータを、特色記録剤を用いて印刷する領域を設定するためのベクターグラフィックスタイプのスタンプのオブジェクトとして画像処理装置に取り込むことができる。なお、ＰＤＦデータに限らず、ベクターグラフィックスを持つデータであれば、画像処理装置にベクターグラフィックスタイプのスタンプのオブジェクトとして取り込めることはいうまでもない。
【０１０９】
このように、ファイル形式に関係なく少なくとも２種類のファイル形式を取り込むことができるため、このファイルを作成、保存する際にはファイル形式を制限しなくてもよい。
【０１１０】
また、１つのファイルを、処理対象の画像データである原稿としても、この原稿に対して特色記録剤を用いて印刷を行う領域を示す画像データであるスタンプとしても使用することができる。
【０１１１】
そして、ファイルは取り込んだ際に指定された用途で使用することができる。
【０１１２】
また、図１９の１９０３の領域に対し、複数種類のデータのファイルをスタンプ用の画像として取り込む。この、ラスターグラフィックスタイプのスタンプのオブジェクトもしくは、ベクターグラフィックスタイプのスタンプのオブジェクトを取り込む処理について図２３のフローチャートを使って説明する。
【０１１３】
まず、指定されたファイルが画像処理装置に取り込まれたタイミングで、そのファイルの種類について判別処理を開始する。ステップＳ２３０１では、画像処理装置に取り込まれたファイルのファイル拡張子や、ファイルのヘッダ情報を確認することでファイルの種類を判別する。
【０１１４】
ステップＳ２３０１の判定処理の結果、ラスタータイプのデータと判定された場合は、ラスターグラフィックスタイプのスタンプのオブジェクトとして取り込む（ステップＳ２３０２）。例えば、写真やイラスト等の画像データであるＪＰＥＧ画像やビットマップ画像はこちらのタイプのオブジェクトとして取り込まれる。
【０１１５】
また、ステップＳ２３０１の判定処理の結果、ベクタータイプのデータと判定された場合は、ベクターグラフィックスタイプのスタンプのオブジェクトとして取り込む（ステップＳ２３０３）。このように取り込まれたスタンプは、拡大や縮小、変形等の編集をするのに適している。
【０１１６】
ステップＳ２３０１の判定処理の結果、画像処理装置において描画不能なデータと判定された場合は、スタンプとしてなにも取り込みを行わない（ステップＳ２３０４）。
【０１１７】
このように取り込まれたファイルは、スタンプに用いるためのデータとして保存される。そして、ユーザは図２２の２２０３に示すような切り替え用のコントロールを操作することで、ラスターグラフィックスタイプのスタンプと、ベクターグラフィックスタイプのスタンプを使い分けることができる。
【０１１８】
図２２の画面の２２０３にてベクターグラフィックスタイプが選択されると、図２３で示した処理を実行した際、Ｓ２３０３にてベクター形式で取り込まれた画像のみが表示される。
【０１１９】
一方、図２２の画面の２２０３にてラスターグラフィックスタイプが選択されると、図２３で示した処理を実行した際、Ｓ２３０２にてラスター形式で取り込まれた画像のみが表示される。
【０１２０】
以上により画像処理装置のユーザは、選択したファイル形式に関係なく、どのようなファイル形式でも取り込むことができるため、このファイルを作成、保存する際にファイル形式を制限しなくてもよい。例えば、スタンプ用の画像であるからこのファイル形式でなくてはならないといった制限はなく、どのような形式のファイルでも使用することができる。よって、保存時にユーザがファイル形式を確認する手間が省ける。また、保存時にファイル形式を間違えて保存されてもそのファイルを所望する用途で使用することができる。
【０１２１】
また、プレビュー画面のある領域へ取り込んだ際に指定された用途で使用することができる。よって、同じファイルを、原稿としても、スタンプとしても使用することができる。さらに、取り込まれたファイルをそれぞれの領域でプレビューすることで、取り込んだ領域を間違えた場合、ユーザが間違えに気付くことができる。
【０１２２】
さらに、スタンプのオブジェクトとして取り込んだデータは、ラスターグラフィックスタイプであるか、または、ベクターグラフィックスタイプであるかを判定して取り込み、それぞれを区別して表示することができる。
【０１２３】
よって、画像処理装置のユーザは、取り込時のファイル形式がわからなくても、処理対象の電子文書データに対して適用するスタンプが、拡大や縮小の編集をすることに適しているのか理解しながら使用することができる。また、どのようなファイル形式であっても取り込むことが可能であるので、間違った形式でファイルを保存してもそのファイルをスタンプとして使用することができる。
【０１２４】
［実施形態６］
本実施形態では、上記実施形態において作成されたデータを実際に印刷出力する際の処理について説明をする。
【０１２５】
特色記録剤を用いて印刷できる画像形成装置において、次のような処理で特色記録剤を用いて印刷を行うものがある。
【０１２６】
まず、特色記録剤を用いて印刷を行う領域のみを示すデータを特色フォームとして予め画像形成装置に登録する。その後、ＣＭＹＫ等の記録剤を用いて印刷を行うよう設定された原稿の印刷ジョブに登録済みの特色フォームを指定して画像形成装置に送信する。
【０１２７】
すると、登録済みの特色フォームと送信された印刷ジョブが組み合わされた画像が用紙上に印刷される。
【０１２８】
このようなＣＭＹＫ等の記録剤と特色記録剤を用いて印刷を行う際には、以下２種類の印刷方法があげられる。
【０１２９】
まず、ＣＭＹＫ等の一般的な記録剤と特色記録剤を用紙に転写後、１度の定着によりＣＭＹＫ画像と特色画像を用紙に定着する、１パス印刷がある。
【０１３０】
しかし、この１パス印刷では、記録剤の載り量に関する問題が発生する。具体的に述べると、画像処理装置では印刷対象用紙の単位面積当たりに対して、一度の定着により定着可能な記録剤量に限り（載り量制限）がある。そして、ＣＭＹＫ等の記録剤が多く使われる領域では、載り量制限内にトナー量を抑えるために特色記録剤が十分に使えないという問題がある。
【０１３１】
そこで、ＣＭＹＫ等の記録剤を用いて転写、定着を行った用紙に対して、特色記録剤を転写し、再度定着を行う。これにより、用紙に対してＣＭＹＫ等の記録剤と特色記録剤の双方を十分に使用することができる。この印刷方法を２パス印刷とよぶ。
【０１３２】
このような印刷ができる画像形成装置に対し、本実施形態では、図２４の２４０１に示すように印刷方法表示がされており、特色記録剤を用いて印刷するための印刷モード（２４０２〜２４０５）を選択して印刷することができる。
【０１３３】
１パス特色印刷（２４０２）を選択して印刷が開始（２４０６）された場合、まず、印刷処理対象の画像データのうち、特色記録剤を用いて印刷を行う領域（スタンプで指定された領域）を示すデータだけ特色フォームとして接続先の画像形成装置に登録される。
そして、ユーザの手を介すことなく連続して、処理対象の画像のうちＣＭＹＫ等の記録剤を用いて印刷を行う原稿に特色フォーム（登録済）が指定されて画像形成装置に送られて印刷されることで１パス印刷（第１の印刷）が実施される。
【０１３４】
また、原稿のみ印刷（２４０３）が選択されて印刷を開始（２４０６）すると、印刷処理対象の画像データのうちＣＭＹＫ等の記録剤を用いて印刷を行うよう設定された電子文書データ（原稿）だけを、ＣＭＹＫ等の記録剤を用いて画像形成装置に印刷させる。（第２の印刷）
この場合、画像処理装置における特色記録剤を用いて印刷を行う設定を全て無視する。
【０１３５】
また、特色のみ印刷（２４０４）が選択されて印刷を開始（２４０６）すると、印刷処理対象の画像データのうち、スタンプで指定された領域を示すデータだけを、特色記録剤を用いて画像形成装置に印刷させる。（第３の印刷）
この場合、ＣＭＹＫ等の記録剤を用いて印刷を行うよう設定された原稿は、全て白紙とみなされる。
【０１３６】
このように、原稿のみ印刷（２４０３）を行った印刷物を、再度給紙し、特色のみ印刷（２４０４）することで、２パス印刷を行うことができる。
【０１３７】
再度給紙する際には、印刷物をユーザが給紙部に配置してもよいし、印刷物を装置内の排紙機構に排紙せずに再び給紙部に自動的にセットされてもよい。給紙部に自動的にセットする方法としては、両面印刷時に使用する反転パスにおいて、紙を反転させずに、再度、給紙部にセットする方法等がある。
【０１３８】
また、特色のみ登録（２４０５）が選択され、印刷を開始（２４０６）した場合は、画像処理装置上における原稿を全て白紙とみなし、特色記録剤を用いて印刷を行う領域のみを示すデータを、特色フォームとして画像形成装置に登録する。画像形成装置に登録した特色フォームは、画像形成装置のコンソール画面を操作することで、特色のみ印刷等の操作を行うことができる。
【０１３９】
以上により、本実施形態６を用いると、画像処理装置のユーザは、複数表示された特色記録剤を用いて印刷するための方法から印刷方法を選択できる利便性を得ることができる。
また、１パス印刷が選択すれると、スタンプ画像の登録とこのフォームと原稿の合成印刷を一連の処理として実行されるため、ユーザの手間を省くことが可能になる。
【０１４０】
（その他の実施形態）
本発明の各工程は、ネットワーク又は各種記憶媒体を介して取得したソフトウエア（プログラム）をパソコン等の処理装置（ＣＰＵ、プロセッサ）にて実行することでも実現できる。
【図１】
2012073605.tif 000003
【図２】
2012073605.tif 000004
【図３】
2012073605.tif 000005
【図４】
2012073605.tif 000006
【図５】
2012073605.tif 000007
【図６】
2012073605.tif 000008
【図７】
2012073605.tif 000009
【図８】
2012073605.tif 000010
【図９】
2012073605.tif 000011
【図１０】
2012073605.tif 000012
【図１１】
2012073605.tif 000013
【図１２】
2012073605.tif 000014
【図１３】
2012073605.tif 000015
【図１４】
2012073605.tif 000016
【図１５】
2012073605.tif 000017
【図１６】
2012073605.tif 000018
【図１７】
2012073605.tif 000019
【図１８】
2012073605.tif 000020
【図１９】
2012073605.tif 000021
【図２０】
2012073605.tif 000022
【図２１】
2012073605.tif 000023
【図２２】
2012073605.tif 000024
【図２３】
2012073605.tif 000025
【図２４】
2012073605.tif 000026